(57)【要約】【課題】画像や音声を含むコンテンツとともに広告を視聴させようとする場合に、コンテンツの発表から時間が経っても広告効果が失われないようにする。【解決手段】コンテンツデータを再生する再生装置２と、管理サーバ５とを相互に通信可能に接続し、再生装置２によって、コンテンツデータ７を光ディスク型記録媒体１０またはコンテンツ記憶部３０から読み取り、コンテンツデータ７の再生に関する制限を解除するための復号鍵６２を管理サーバ５に要求し、この要求に応じて管理サーバ５から復号鍵６２とともに広告データ６６が送信された場合に、送信された広告データ６６を再生した後に、復号鍵６２を用いてコンテンツデータ７を再生する。【選択図】図１
2010041273.tif 000002
【特許請求の範囲】
【請求項１】
画像及び音声の少なくとも一方を含むコンテンツデータを再生する再生装置と、管理装置とを相互に通信可能に接続して構成され、
前記再生装置は、
再生を制限する処理が施された前記コンテンツデータを記録媒体から読み取る読取手段と、
前記コンテンツデータを再生する再生手段と、
前記コンテンツデータの再生に関する制限を解除するための解除用情報を、前記管理装置に要求する解除用情報要求手段と、
前記解除用情報要求手段の要求に応じて前記管理装置から前記解除用情報とともに広告データが送信された場合に、送信された前記解除用情報と前記広告データとを取得する取得手段と、
前記取得手段により取得された前記広告データを前記再生手段によって再生させた後に、前記取得手段により取得された前記解除用情報を用いて前記読取手段により読み取られたコンテンツデータの再生に関する制限を解除し、前記再生手段によって再生させる制御手段と、を備え、
前記管理装置は、前記再生装置が備える前記解除用情報要求手段の要求に応じて、前記解除用情報を前記広告データとともに送信する送信手段を備えること、
を特徴とする再生管理システム。
【請求項２】
前記再生装置が備える前記解除用情報要求手段は、前記解除用情報を要求する際に、前記読取装置により読み取られた前記コンテンツデータの属性を示す情報を前記管理装置に送信し、
前記管理装置は、前記再生装置が備える前記解除用情報要求手段により送信された前記コンテンツデータの属性を示す情報に基づいて、複数の前記広告データから少なくとも１つの前記広告データを選択する選択手段を備え、
前記選択手段によって選択された前記広告データと前記解除用情報とを、前記送信手段によって前記再生装置に送信すること、
を特徴とする請求項１記載の再生管理システム。
【請求項３】
前記再生装置は、前記管理装置から前記広告データとともに送信された前記解除用情報を記憶する記憶手段をさらに備え、
前記制御手段は、前記読取手段により読み取られた前記コンテンツデータの再生に関する制限を解除するための前記解除用情報が前記記憶手段に記憶されている場合には、前記記憶手段に記憶されている前記解除用情報を用いて、前記読取手段により読み取られた前記コンテンツデータの再生に関する制限を解除して、前記再生手段によって再生させること、
を特徴とする請求項１または２記載の再生管理システム。
【請求項４】
前記管理装置は、前記再生装置へ送信する前記解除用情報の有効期限を設定する期限設定手段を備え、前記期限設定手段によって有効期限が設定された前記解除用情報を前記広告データとともに前記送信手段によって前記再生装置に送信し、
前記再生装置が備える前記制御手段は、前記記憶手段に記憶されている前記解除用情報の有効期限を過ぎている場合に、前記解除用情報要求手段によって新たな前記解除用情報を前記管理装置に要求させること、
を特徴とする請求項３記載の再生管理システム。
【請求項５】
画像及び音声の少なくとも一方を含むコンテンツデータを再生する再生装置と、管理装置とを相互に通信可能に接続し、
前記再生装置により、
再生を制限する処理が施された前記コンテンツデータを記録媒体から読み取り、
前記コンテンツデータの再生に関する制限を解除するための解除用情報を、前記管理装置に要求し、
この要求に応じて前記管理装置から前記解除用情報とともに広告データが送信された場合に、送信された前記解除用情報と前記広告データとを取得し、
取得した前記広告データを再生した後に、取得した前記解除用情報を用いて前記記録媒体から読み取った前記コンテンツデータの再生に関する制限を解除して再生を行い、
前記管理装置により、前記再生装置の要求に応じて、前記解除用情報とともに前記広告データを送信すること、
を特徴とする再生管理方法。
【請求項６】
管理装置と通信可能なもので、画像及び音声の少なくとも一方を含むコンテンツデータを再生する再生装置であって、
再生を制限する処理が施された前記コンテンツデータを読み取る読取手段と、
前記コンテンツデータを再生する再生手段と、
前記コンテンツデータの再生に関する制限を解除するための解除用情報を、前記管理装置に要求する解除用情報要求手段と、
前記管理装置から広告データが付加された前記解除用情報を取得する取得手段と、
前記取得手段により取得した前記広告データを前記再生手段によって再生した後に、前記取得手段により取得した前記解除用情報を用いて前記読取手段により読み取られた前記コンテンツデータの再生に関する制限を解除し、前記再生手段によって再生させる制御手段とを備えること、
を特徴とする再生装置。
【請求項７】
画像及び音声の少なくとも一方を含むコンテンツデータを再生する再生装置と通信可能な管理装置であって、
前記再生装置から、再生を制限する処理が施された前記コンテンツデータの再生に関する制限を解除するための解除用情報を要求されたとき、前記解除用情報を広告データとともに送信する送信手段を備えること、
を特徴とする管理装置。
【発明の詳細な説明】
【技術分野】
【０００１】
本発明は、映像や音声を含むコンテンツデータの再生を管理する再生管理システム、再生管理方法、再生装置、及び、管理装置に関する。
【背景技術】
【０００２】
従来、画像や音声を含むコンテンツのデータに広告のデータを添付して、コンテンツと同様に広告を視聴させようとする試みがあった（例えば、特許文献１参照）。この特許文献１に開示された構成では、暗号化されたコンテンツデータと広告データとが記録されたディスクから広告データを読み取って再生することで、暗号鍵を取得し、この暗号鍵によりコンテンツデータを復号して再生する。
【特許文献１】特開２００２−１１６９７６号公報
【発明の開示】
【発明が解決しようとする課題】
【０００３】
ところで、コンテンツに添付されてディスク等に記録された広告は、年月の経過とともに陳腐化し、或いは広告する製品やサービスのライフサイクルを過ぎてしまい、広告効果を失うことがあった。特に、コンテンツ自体が、年月が経過しても作品としての価値を失いにくいのに対し、広告は急速に陳腐化するため、コンテンツの発表からある程度の期間が経過すると、広告効果を失った広告が視聴されるという問題があった。
そこで、本発明は、画像や音声を含むコンテンツとともに広告を視聴させようとする場合に、コンテンツの発表から時間が経っても広告効果が失われないようにすることを目的とする。
【課題を解決するための手段】
【０００４】
上記課題を解決するため、本発明は、画像及び音声の少なくとも一方を含むコンテンツデータを再生する再生装置と、管理装置とを相互に通信可能に接続して構成され、前記再生装置は、再生を制限する処理が施されたコンテンツデータを記録媒体から読み取る読取手段と、コンテンツデータを再生する再生手段と、コンテンツデータの再生に関する制限を解除するための解除用情報を、前記管理装置に要求する解除用情報要求手段と、前記解除用情報要求手段の要求に応じて前記管理装置から解除用情報とともに広告データが送信された場合に、送信された解除用情報と広告データとを取得する取得手段と、前記取得手段により取得された広告データを前記再生手段によって再生させた後に、前記取得手段により取得された解除用情報を用いて前記読取手段により読み取られたコンテンツデータの再生に関する制限を解除し、前記再生手段によって再生させる制御手段と、を備え、前記管理装置は、前記再生装置が備える前記解除用情報要求手段の要求に応じて、解除用情報を広告データとともに送信する送信手段を備えること、を特徴とする再生管理システムを提供する。
この構成によれば、再生装置が管理装置から広告データとともに送信される解除用情報を取得して、広告データを再生した後に、解除用情報に基づいてコンテンツデータを再生するので、コンテンツデータの再生に先立って広告データが確実に再生される。この広告データは、解除用情報が要求されたときに管理装置から送信されるので、記録媒体に記録されたコンテンツデータの古さに関係なく、任意の広告データを管理装置から送信して再生させることができる。これにより、コンテンツデータの再生に先立って、陳腐化していない広告データを再生させて、コンテンツデータの発表からの時間の経過に関わらず良好な広告効果を得ることができる。
【０００５】
上記構成において、前記再生装置が備える前記解除用情報要求手段は、解除用情報を要求する際に、前記読取装置により読み取られたコンテンツデータの属性を示す情報を前記管理装置に送信し、前記管理装置は、前記再生装置が備える前記解除用情報要求手段により送信されたコンテンツデータの属性を示す情報に基づいて、複数の広告データから少なくとも１つの広告データを選択する選択手段を備え、前記選択手段によって選択された広告データと解除用情報とを、前記送信手段によって前記再生装置に送信するものとしてもよい。
この場合、再生装置が送信する情報に基づいて、管理装置がコンテンツデータの属性に適した広告データを選択して再生装置に送信し、再生装置において再生させることができるので、コンテンツデータとの組合せによって訴求力の高い広告データを選択することによって、広告効果を高めることができる。
【０００６】
また、上記構成において、前記再生装置は、前記管理装置から広告データとともに送信された解除用情報を記憶する記憶手段をさらに備え、前記制御手段は、前記読取手段により読み取られたコンテンツデータの再生に関する制限を解除するための解除用情報が前記記憶手段に記憶されている場合には、前記記憶手段に記憶されている解除用情報を用いて、前記読取手段により読み取られたコンテンツデータの再生に関する制限を解除して、前記再生手段によって再生させるものとしてもよい。
この場合、再生装置においてコンテンツデータに先立って広告データを再生した場合に解除用情報を記憶しておき、その後にコンテンツデータを再生する場合には、管理装置に解除用情報を要求することなく、広告データを再生することもなく、コンテンツデータの再生が可能になる。これにより、広告データの露出を高める一方でコンテンツデータを視聴するユーザの利便性を高め、好感度を向上させることができる。
【０００７】
さらに、上記構成において、前記管理装置は、前記再生装置へ送信する解除用情報の有効期限を設定する期限設定手段を備え、前記期限設定手段によって有効期限が設定された解除用情報を前記送信手段によって前記再生装置に送信し、前記再生装置が備える前記制御手段は、前記記憶手段に記憶されている解除用情報の有効期限を過ぎている場合には、前記解除用情報要求手段によって新たな解除用情報を前記管理装置に要求させるものとしてもよい。
この場合、広告データを再生した場合に記憶された解除用情報に有効期限が設定されており、この有効期限を過ぎた場合には新たに管理装置から広告データが送信され、コンテンツデータの再生に先立って再生されるので、いったん広告データが再生されて解除用情報が記憶された場合に、この解除用情報を使用できる期間を制限することができる。これにより、広告データの再生頻度を確保することで、ある程度の広告効果を常に確保することができるという利点がある。
【０００８】
また、本発明は、画像及び音声の少なくとも一方を含むコンテンツデータを再生する再生装置と、管理装置とを相互に通信可能に接続し、再生装置により、再生を制限する処理が施されたコンテンツデータを記録媒体から読み取り、コンテンツデータの再生に関する制限を解除するための解除用情報を、前記管理装置に要求し、この要求に応じて前記管理装置から解除用情報とともに広告データが送信された場合に、送信された解除用情報と広告データとを取得し、取得した広告データを再生した後に、取得した解除用情報を用いて前記記録媒体から読み取ったコンテンツデータの再生に関する制限を解除して再生を行い、前記管理装置により、前記再生装置の要求に応じて、解除用情報とともに広告データを送信すること、を特徴とする再生管理方法を提供する。
この方法によれば、再生装置によって、管理装置から広告データとともに送信される解除用情報を取得して、広告データを再生した後に、解除用情報に基づいてコンテンツデータを再生するので、コンテンツデータの再生に先立って広告データが確実に再生されるので、コンテンツデータの再生に先立って、陳腐化していない広告データを再生させ、コンテンツデータの発表からの時間の経過に関わらず良好な広告効果を得ることができる。
【０００９】
また、本発明の再生装置は、管理装置と通信可能なもので、画像及び音声の少なくとも一方を含むコンテンツデータを再生する再生装置であって、再生を制限する処理が施された前記コンテンツデータを読み取る読取手段と、前記コンテンツデータを再生する再生手段と、前記コンテンツデータの再生に関する制限を解除するための解除用情報を、前記管理装置に要求する解除用情報要求手段と、前記管理装置から広告データが付加された前記解除用情報を取得する取得手段と、前記取得手段により取得した前記広告データを前記再生手段によって再生した後に、前記取得手段により取得した前記解除用情報を用いて前記読取手段により読み取られた前記コンテンツデータの再生に関する制限を解除し、前記再生手段によって再生させる制御手段と、を備えることを特徴とする。
この再生装置によれば、管理装置から広告データとともに送信される解除用情報を取得して、広告データを再生した後に、解除用情報に基づいてコンテンツデータを再生するので、コンテンツデータの再生に先立って広告データが確実に再生されるので、コンテンツデータの再生に先立って、陳腐化していない広告データを再生させ、コンテンツデータの発表からの時間の経過に関わらず良好な広告効果を得ることができる。
【００１０】
また、本発明の管理装置は、画像及び音声の少なくとも一方を含むコンテンツデータを再生する再生装置と通信可能な管理装置であって、前記再生装置から、再生を制限する処理が施された前記コンテンツデータの再生に関する制限を解除するための解除用情報を要求されたとき、前記解除用情報を広告データとともに送信する送信手段を備えることを特徴とする。
この管理装置によれば、再生装置からの要求により、広告データとともに解除用情報を送信することで、再生装置が、広告データを再生した後に解除用情報に基づいてコンテンツデータを再生するので、コンテンツデータの再生に先立って広告データが確実に再生される。このため、コンテンツデータの再生に先立って、陳腐化していない広告データを再生させ、コンテンツデータの発表からの時間の経過に関わらず良好な広告効果を得ることができる。
【発明の効果】
【００１１】
本発明によれば、コンテンツデータの発表からの時間の経過に関わらず、陳腐化していない広告データをコンテンツデータに先立って再生させることができ、良好な広告効果を得ることができる。
【発明を実施するための最良の形態】
【００１２】
以下、図面を参照して本発明の実施形態を説明する。
図１は、本発明を適用した実施形態に係るコンテンツ再生管理システム１の機能的構成を示すブロック図である。
コンテンツ再生管理システム１（再生管理システム）は、コンテンツデータを再生する再生装置２と、管理サーバ５（管理装置）とを、通信回線１１を介して相互に通信可能に接続して構成される。
【００１３】
本実施形態のコンテンツ再生管理システム１においては、コンテンツデータが記録される記録媒体として、光ディスク型記録媒体１０、及び、再生装置２が備えるコンテンツ記憶部３０を使用可能である。光ディスク型記録媒体１０は、ＣＤ、ＤＶＤ、いわゆる次世代型ＤＶＤ等のディスク型記録媒体であり、１層または多層の記録層に、光学的に読み取り可能な形態でデータを記録するものである。光ディスク型記録媒体１０の具体的な記録容量やデータフォーマットは任意であり、その形状も円盤形状に限定されない。また、コンテンツ記憶部３０は、磁気的記録媒体や半導体メモリ素子を用いた記録装置であり、具体的な例としては、ハードディスク装置やＳＳＤ（Solid State Drive）等が挙げられる。なお、光ディスク型記録媒体１０に変えて、半導体メモリ素子を用いたカード形状あるいはスティック形状の可搬型記録媒体を用いることも可能である。
【００１４】
再生装置２が再生するコンテンツデータとは、画像（動画像か静止画像かは問わない）と音声との少なくとも一方を含むものであり、本実施形態では、コンテンツデータの一例として、映像と音声とが同期して出力再生されるものを処理する場合について説明する。また、広告データも、商品やサービス等を広告する画像（動画像か静止画像かは問わない）と音声の少なくとも一方を含むものであり、本実施形態では、一例として、映像と音声とが同期して出力再生されるものとする。
コンテンツ記憶部３０及び光ディスク型記録媒体１０には、映像及び音声を含むコンテンツデータとして、映画やテレビ放送された番組等が記録されている。例えば、コンテンツ記憶部３０にはテレビ放送された番組を録画したコンテンツデータが記録されており、光ディスク型記録媒体１０は、例えば映画ソフトとして市販されている記録媒体である。
【００１５】
図２は、光ディスク型記録媒体１０及びコンテンツ記憶部３０に記録されたコンテンツデータの構成例を模式的に示す図である。
本実施形態の構成では、コンテンツデータは番組毎、映画の作品毎に一つのコンテンツとなっており、この一つのコンテンツがコンテンツデータ７として記録されている。
図２に示すコンテンツデータ７は、複数のチャプタ（章）で構成される映像ソフトの例であり、チャプタの選択等を行うためのメニュー表示用のメニューデータ７１、チャプタ毎の映像データ７２及び音声データ７３を含んでいる。また、コンテンツデータ７に字幕用のデータを含んでもよい。
【００１６】
さらに、コンテンツデータ７は、このコンテンツの属性を示すコンテンツ属性情報７４を含んでいる。コンテンツ属性情報７４には、コンテンツに固有のＩＤ７５、コンテンツのタイトル７６、コンテンツの内容の分野を示すジャンル７７、及び、コンテンツの対象層（年齢、性別、職業等）を示すターゲット７８の各情報が含まれる。
また、コンテンツデータ７には、鍵管理情報７９が含まれる。鍵管理情報７９は、このコンテンツデータ７のコンテンツが暗号化されていることを示す情報、及び、復号鍵を入手するために必要な情報として、管理サーバ５のＩＰアドレスや管理サーバ５に対する認証を行うための情報等を含んでいる。
制御部２１が鍵管理情報７９を参照することによって、後述するように、コンテンツデータ７が暗号化されていることを検出し、管理サーバ５に対して鍵情報の送信を要求することが可能となる。
本実施形態ではコンテンツデータ７は暗号化されているが、詳細には、暗号化されるのはメニューデータ７１、映像データ７２、及び音声データ７３のみ、或いは、これらに字幕用のデータを加えた部分であり、コンテンツ属性情報７４及び鍵管理情報７９は通常の形態で記録されている。
【００１７】
図１に示すように、再生装置２は、再生装置２の各部を制御する制御手段としての制御部２１と、光ディスク型記録媒体１０或いはコンテンツ記憶部３０からコンテンツデータを読み取る読取手段としての読取部２２と、読取部２２が読み取ったコンテンツデータをデコードするデコーダ２３と、デコーダ２３によりデコードされたデータから映像信号及び音声信号を生成する信号処理回路２４と、信号処理回路２４により生成された音声信号を外部のアンプ（図示略）やスピーカ（図示略）等に出力する音声信号出力部２５、信号処理回路２４により生成された映像信号を外部のモニタ（図示略）等に出力する映像信号出力部２６、ユーザによる入力操作を受け付ける入力部２７、制御部２１が処理するデータ等を記憶する記憶手段としての記憶部２８、及び、通信回線１１を介して通信を実行する通信部２９を備えている。
また、制御部２１は、現在時刻を計時するＲＴＣ（Real Time Clock）を内蔵する。
【００１８】
読取部２２は、光ディスク型記録媒体１０を駆動するドライブ装置（図示略）及びコンテンツ記憶部３０に接続され、制御部２１の制御に従って光ディスク型記録媒体１０及びコンテンツ記憶部３０に記録されているコンテンツデータを読み取り、読み取ったデータをデコーダ２３に出力する。
デコーダ２３は、読取部２２から入力されるコンテンツデータを、所定のアルゴリズムに従ってデコードする処理を行う。ここで、コンテンツデータが、通常の形態によるエンコードやコピーガードが施されている場合、デコーダ２３は、これらのエンコードやコピーガードに対応した処理を行い、再生可能な映像データ及び音声データとして信号処理回路２４に出力する。さらに、デコーダ２３は、コンテンツデータに対して上記のエンコードやコピーガードに含まれない暗号化が施されている場合に、制御部２１から入力される復号鍵を利用してコンテンツデータを復号する処理を行う。
信号処理回路２４は、デコーダ２３から入力される映像データ及び音声データの信号調整処理を行い、音声信号を生成して音声信号出力部２５に出力するとともに、映像信号を生成して映像信号出力部２６に出力する。音声信号出力部２５は、再生装置２の外部装置であるやスピーカに接続され、この外部装置に適した音声信号を出力する。また、映像信号出力部２６は再生装置２の外部装置であるモニタに接続され、この外部装置に適した映像信号を出力する。信号処理回路２４、音声信号出力部２５及び映像信号出力部２６は、必要に応じて、Ｄ／Ａ変換処理や解像度調整、音量調整等の各種処理を行う。
【００１９】
また、入力部２７は、再生装置２を使用するユーザが、コンテンツデータの再生開始や再生停止の指示、或いは、各種設定等の操作を行うための操作子を備え、これら操作子の操作に応じた操作信号を生成して、制御部２１に出力する。
記憶部２８は、制御部２１が実行する処理に係る各種データを不揮発的に記憶する。通信部２９は、通信回線１１に接続され、制御部２１の制御に従って通信回線１１を介して管理サーバ５との間の通信を実行する。
【００２０】
制御部２１は、制御プログラムを実行して各部を制御するＣＰＵ、ＣＰＵにより実行する制御プログラムや制御用のデータを記憶したＲＯＭ等を備えており、入力部２７により入力される指示に従って、コンテンツデータを再生する機能を実現する。
制御部２１は、再生手段として機能し、読取部２２を制御して、入力部２７からの入力によって指定されたコンテンツのコンテンツデータを、コンテンツ記憶部３０または光ディスク型記録媒体１０から読み取らせ、デコーダ２３、信号処理回路２４、音声信号出力部２５及び映像信号出力部２６を制御して、コンテンツデータを再生させる。
ここで、制御部２１は、デコーダ２３によってデコードされたデータに鍵管理情報７９（図２）が含まれており、この鍵管理情報７９によって読み取られたコンテンツデータが、通常のエンコードやコピーガードとは異なる所定の方法によって暗号化されたものであることが示されている場合には、鍵情報を取得する処理を行う。
この処理において、制御部２１は、通信部２９を制御して管理サーバ５にアクセスし、デコーダ２３によってデコードしたデータに含まれるコンテンツ属性情報７４（図２）を管理サーバ５に送信して、鍵情報の配信を要求し、この要求に応じて管理サーバ５から送信される復号鍵を取得して記憶部２８に記憶するとともに、この復号鍵を用いて、デコーダ２３によってコンテンツデータの復号を行わせる。
【００２１】
管理サーバ５は、図１に示すように、管理サーバ５の各部を制御する制御部５１と、通信回線１１を介して再生装置２との間で通信を実行する通信部５２と、制御部５１の制御のもとに各種情報を記憶する鍵情報記憶部６１及び広告データ記憶部６５とを備えている。
鍵情報記憶部６１は、複数の復号鍵６２と、これらの復号鍵６２とコンテンツデータとを対応づける鍵管理情報６３を記憶している。復号鍵６２の数は任意であるが、再生装置２によって再生される可能性のある全てのコンテンツに対応する復号鍵６２が、全て鍵情報記憶部６１に記憶されていることが好ましい。鍵管理情報６３は、再生装置２において再生可能な多数のコンテンツデータを復号するための復号鍵を定義する情報である。コンテンツデータと復号鍵との対応は、完全に一対一としてもよいし、複数のコンテンツデータに対して一つの復号鍵を対応させることも可能である。鍵管理情報６３により、各コンテンツを特定し得る情報としての各コンテンツのタイトル或いはＩＤと、復号鍵とが対応づけられる。
復号鍵６２は、暗号化されたコンテンツデータの復号に要する情報であり、この復号鍵６２のみによって復号が可能なものであってもよいし、復号鍵６２と他の情報（例えば、コンテンツデータ７の一部）とを組み合わせて演算を行うことで、真の復号鍵が生成されるようなものであってもよい。
【００２２】
広告データ記憶部６５は、広告データ６６と、広告選択用情報６７とを記憶している。広告データ６６は、映像及び音声、或いは、これらの少なくとも一方を含み、商品やサービス等の広告を出力するためのデータである。広告データ６６は、光ディスク型記録媒体１０やコンテンツ記憶部３０に記録されたコンテンツデータと同様に、再生装置２において再生可能である。再生装置２が広告データ６６を再生すると、再生装置２に接続された外部装置としてのモニタやスピーカから、広告の映像や音声が出力される。
広告選択用情報６７は、制御部５１が、複数の広告データ６６の中から、再生装置２において再生されるコンテンツデータに適した一つまたは複数の広告データ６６を選択するための情報である。後述するように、管理サーバ５には、再生装置２からコンテンツデータの属性を示すコンテンツ属性情報７４が送信される。広告選択用情報６７を用いることで、制御部５１は、コンテンツ属性情報７４に基づいて、そのコンテンツデータとともに再生することで高い広告効果が得られるような、好適な広告データ６６を選択できる。例えば、広告選択用情報６７は、コンテンツ属性情報７４に含まれるジャンル７７やターゲット７８に対して複数の広告データ６６を対応づけており、制御部５１は、広告選択用情報６７により対応づけられる複数の広告データ６６からランダムに一つの広告データ６６を選択することが可能である。また、広告選択用情報６７により、一つのコンテンツデータのＩＤ７５やタイトル７６に、一つの広告データ６６が対応づけられてもよい。
【００２３】
広告データ記憶部６５に記憶される広告データ６６は、随時更新され、これに伴って広告選択用情報６７も更新される。この更新は、例えば、図示しないサーバ装置から管理サーバ５に対して新たな広告データ６６や広告選択用情報６７を送信することで行える。この更新を行うことで、例えば、広告の対象となっている商品やサービスの販売または提供が終了した場合や、商品やサービスがリニューアルされた場合、別の商品やサービスの広告に差し替える場合等に速やかに対応できる。このため、広告データ６６の陳腐化や、広告データ６６による広告が意味を失うことを避けることができ、常に、広告効果を有する広告データ６６が再生される状態を保つことができる。
【００２４】
管理サーバ５を制御する制御部５１は、再生装置２から通信回線１１を介して鍵情報の配信が要求され、再生装置２からコンテンツ属性情報７４が送信された場合に、このコンテンツ属性情報７４に基づいて復号鍵６２と広告データ６６とを選択する。制御部５１は、選択した復号鍵６２と広告データ６６とを結合させて、再生装置２へ送信する。
結合された復号鍵６２と広告データ６６とは再生装置２によって受信されるが、このとき、再生装置２は、広告データ６６を再生した後で、復号鍵６２を用いてコンテンツデータを復号して再生する。このため、制御部５１が、広告データ６６の全部を再生した後でなければ復号鍵６２が取得できないような形態で、復号鍵６２と広告データ６６とを結合させることが、好ましい。
【００２５】
復号鍵６２と広告データ６６とを結合させる具体的な手法としては、例えば、広告データ６６が映像データを含む場合に、この映像データの一部のフレームの信号における帰線消去期間中、すなわち、映像を再生表示する場合に表示画面の外側に位置する部分に、復号鍵６２を埋め込む方法がある。この場合、復号鍵６２を埋め込む場所が、広告データ６６の映像の末尾に近ければ、広告データ６６のほぼ全部を再生した後でなければ復号鍵６２が現れない。また、広告データ６６の映像を構成する全フレームに亘って暗号鍵を埋め込んでもよい。具体的には、全フレームについて、各フレームの画面の一部に、復号鍵６２を分割した断片データを埋め込み、全フレームの再生後に、各々のフレームから抽出された断片データを演算処理（例えば、加算、蓄積等）することで、復号鍵６２が生成可能となるようにしてもよい。
いずれの方法を採用した場合も、制御部２１が速やかに復号鍵６２を取得できることが好ましい。例えば、復号鍵６２と広告データ６６とを結合したデータに、メタデータとして、復号鍵６２を取得（再現）する方法を示す情報を付加したり、制御部５１が復号鍵６２と広告データ６６とを結合する方法と復号鍵６２を取得（再現）する方法とを一種類に限定したりすればよい。
【００２６】
さらに、制御部５１は、復号鍵６２と広告データ記憶部６５とを結合させる際に、復号鍵６２の有効期限（使用可能期限）を設定（更新）する処理を行う。再生装置２は、有効期限が過ぎた復号鍵６２を使用しないよう設定されており、記憶部２８に記憶した復号鍵６２の有効期限が過ぎている場合は、管理サーバ５に対して新たな復号鍵６２を配信するよう要求する。
【００２７】
図３は、コンテンツ再生管理システム１の動作を示すフローチャートであり、特に、再生装置２の動作を示す。
再生装置２が備える制御部２１は、入力部２７の操作によって光ディスク型記録媒体１０またはコンテンツ記憶部３０内のコンテンツデータ７の再生が指示された場合に（ステップＳ１１）、指示されたコンテンツデータ７を読取部２２によって読み取らせるとともに、コンテンツデータ７を復号するための復号鍵６２が、記憶部２８に記憶されているか否かを判別する（ステップＳ１２）。
【００２８】
ここで、復号鍵６２が記憶部２８に記憶されている場合（ステップＳ１２；Ｙｅｓ）、制御部２１は、内蔵するＲＴＣから現在の日時及び時刻を取得し、記憶部２８に記憶されている復号鍵６２の有効期限内であるか否かを判別する（ステップＳ１３）。現在の日付または日時が復号鍵６２の有効期限内であった場合（ステップＳ１３；Ｙｅｓ）、制御部２１は、この復号鍵６２を使用してコンテンツデータ７の復号を実行させ、読取部２２、デコーダ２３、信号処理回路２４、音声信号出力部２５及び映像信号出力部２６によって、コンテンツデータ７を再生させ（ステップＳ１４）、図３の動作を終了する。
【００２９】
一方、復号鍵６２の有効期限が過ぎている場合（ステップＳ１３；Ｎｏ）、及び、ステップＳ１１で指示されたコンテンツデータ７を再生するための復号鍵６２が記憶部２８に記憶されていない場合（ステップＳ１２；Ｎｏ）、制御部２１は、ステップＳ１５に移行する。ステップＳ１５で、制御部２１は、記憶部２８に復号鍵６２と結合された広告データ６６が記憶されているか否かを判別し、広告データ６６が記憶されている場合は、この広告データ６６を再生し（ステップＳ１６）、広告データ６６の再生後に、広告データ６６に結合されていた復号鍵６２を抽出・取得する処理を行い（ステップＳ１７）、取得した広告データ６６を記憶部２８に記憶して（ステップＳ１８）、ステップＳ１４に移行してコンテンツデータ７を再生させる。
また、復号鍵６２と結合された広告データ６６が記憶部２８に記憶されていない場合（ステップＳ１５；Ｎｏ）、制御部２１は、管理サーバ５から復号鍵６２の配信を受ける鍵配信処理を実行する（ステップＳ１９）。このステップＳ１８の処理により、制御部２１は、通信部２９によって、復号鍵６２と結合した広告データ６６を受信し、この広告データ６６を記憶部２８に記憶する。その後、制御部２１はステップＳ１６に移行して、広告データ６６を再生する。
【００３０】
図４は、コンテンツ再生管理システム１により実行される鍵配信処理を示すフローチャートであり、図４Ａは再生装置２の動作を示し、図４Ｂは管理サーバ５の動作を示す。この図４に示す動作の実行時、制御部２１は解除用情報要求手段、取得手段及び制御手段として機能し、制御部５１は送信手段、選択手段及び期限設定手段として機能する。
図４の鍵配信処理は、再生装置２が図３のステップＳ１８の動作を行うことで開始される。鍵配信処理において、再生装置２の制御部２１は、まず、管理サーバ５に対して鍵配信要求を送信する（図４ＡのステップＳ２１）。
管理サーバ５の制御部５１は、再生装置２から送信された鍵配信要求を受信すると（図４ＢのステップＳ３１）、再生装置２に対する応答を通信部５２によって送信させ（ステップＳ３２）、鍵配信処理を開始する（ステップＳ３３）。
【００３１】
制御部２１は、鍵配信要求に対する管理サーバ５からの応答を受信すると（ステップＳ２２）、再生しようとするコンテンツデータ７のコンテンツ属性情報７４を管理サーバ５に送信する（ステップＳ２３）。
制御部５１は、鍵配信処理を開始した後に、再生装置２から送信されたコンテンツ属性情報７４を受信すると（ステップＳ３４）、受信したコンテンツ属性情報７４と、広告データ記憶部６５の広告選択用情報６７とに基づいて、コンテンツ属性情報７４に適した広告データ６６を選択し、選択した広告データ６６を広告データ記憶部６５から読み出す（ステップＳ３５）。続いて、制御部５１は、受信したコンテンツ属性情報７４と、鍵情報記憶部６１の鍵管理情報６３とに基づいて、コンテンツ属性情報７４に対応する復号鍵６２を選択し、この復号鍵６２を鍵情報記憶部６１から読み出して取得する（ステップＳ３６）。さらに、制御部５１は、鍵情報記憶部６１から取得した復号鍵６２の有効期限を設定する（ステップＳ３７）。このステップＳ３７で、既に復号鍵６２に有効期限が設定されている場合も、制御部５１は、現在の日付または日時に基づいて有効期限を再設定する。
【００３２】
その後、制御部５１は、有効期限を設定した復号鍵６２と、広告データ６６とを結合させる処理を行い（ステップＳ３８）、この復号鍵６２と結合させた広告データ６６を、通信部５２によって再生装置２へ送信させる（ステップＳ３９）。
再生装置２の制御部２１は、管理サーバ５から送信された広告データ６６を受信して、記憶部２８に記憶し（ステップＳ２４）、鍵情報配信処理を終了して、図３のステップＳ１６に移行する。
【００３３】
以上のように、本発明を適用したコンテンツ再生管理システム１によれば、コンテンツデータ７を再生する再生装置２と、管理サーバ５とを通信回線１１を介して相互に通信可能に接続したコンテンツ再生管理システム１は、再生装置２によって、暗号化されたコンテンツデータ７を再生する際に、復号鍵６２を管理サーバ５に要求し、この要求に応じて管理サーバ５が、復号鍵６２とともに広告データ６６を送信し、再生装置２は、管理サーバ５から送信された復号鍵６２と広告データ６６とを取得して、広告データ６６を再生し、再生後に、復号鍵６２を用いてコンテンツデータ７を復号して再生する。
これにより、記録媒体に記録されたコンテンツデータ７の古さに関係なく、コンテンツデータ７の再生時に、任意の広告データ６６を管理サーバ５から送信することができ、この広告データ６６がコンテンツデータ７の再生に先立って確実に再生される。従って、コンテンツデータ７の再生に先立って、陳腐化していない広告データ６６を再生させて、コンテンツデータ７の発表からの時間の経過に関わらず良好な広告効果を得ることができる。
【００３４】
また、コンテンツ再生管理システム１は、鍵情報配信処理において、再生装置２がコンテンツ属性情報７４を送信し、管理サーバ５が、このコンテンツ属性情報７４に基づいて、複数の広告データ６６からコンテンツデータ７を選択するので、再生しようとするコンテンツデータ７の属性に適した広告データ６６を、コンテンツデータ７に先立って再生させることができる。このため、コンテンツデータ７との組合せによって訴求力の高い広告データ６６を選択することによって、広告効果を高めることができる。
特に、コンテンツ属性情報７４に含まれるジャンル７７やターゲット７８は、コンテンツデータ７の内容や対象層（対象ユーザの属性）に関する情報であり、このジャンル７７やターゲット７８に適合する広告データ６６を選択すれば、訴求力が強く、好感度の高い広告を行うことができ、高い広告効果が期待できる。
【００３５】
また、コンテンツ再生管理システム１において、再生装置２は、管理サーバ５から広告データ６６とともに送信された復号鍵６２を記憶部２８に記憶し、コンテンツデータ７の再生時に、記憶部２８に復号鍵６２が記憶されている場合には、この記憶されている復号鍵６２を用いてコンテンツデータ７を再生するので、広告データ６６の露出を高める一方でコンテンツデータ７を視聴するユーザの利便性を高め、好感度の向上等を図ることができる。
【００３６】
さらに、管理サーバ５は、復号鍵６２の有効期限を設定してから広告データ６６と結合して再生装置２へ送信し、再生装置２は、復号鍵６２の有効期限内においては復号鍵６２を使用してコンテンツデータ７を再生し、復号鍵６２の有効期限が過ぎた後は、鍵情報配信処理を行って新たな復号鍵６２を管理サーバ５に要求するので、いったん広告データ６６が再生されて復号鍵６２が記憶部２８に記憶された場合に、この復号鍵６２を使用できる期間を制限することができる。これにより、広告データ６６の再生頻度を確保することができ、ある程度の広告効果を常に確保することができるという利点がある。また、以前に再生された広告データ６６に関する情報の追加や訂正等を目的として、新たな広告データ６６を再生させることが可能になり、情報提供の手法としても有用である。
また、コンテンツ再生管理システム１においては、コンテンツデータ７を光ディスク型記録媒体１０またはコンテンツ記憶部３０に記憶しておき、復号鍵６２及び広告データ６６のみを通信回線１１を介して送受信する構成であり、コンテンツデータ７自体は通信回線１１を介して送信しないので、通信回線１１のトラフィックを抑制でき、コンテンツデータ７の再生が指示されてから実際に再生するまでに要する時間を抑制できる。
【００３７】
なお、上述した実施形態は、あくまでも本発明の一態様を示すものであり、本発明の範囲内で任意に変形および応用が可能である。
例えば、上記実施形態においては、光ディスク型記録媒体１０及びコンテンツ記憶部３０に記録されたコンテンツデータ７自体に、コンテンツ属性情報７４及び鍵管理情報７９が含まれている構成を例に挙げて説明したが、本発明はこれに限定されるものではなく、コンテンツデータ７が、コンテンツ属性情報７４及び鍵管理情報７９を含まない構成としてもよい。すなわち、光ディスク型記録媒体１０及びコンテンツ記憶部３０に記録されるコンテンツのデータが、例えば、メニューデータ７１、映像データ７２、音声データ７３及びコンテンツのタイトルを示す情報のみを含むものであってもよい。この例では、管理サーバ５において、コンテンツのタイトルをもとにコンテンツの属性を特定するための情報を記憶しておき、再生装置２がコンテンツのタイトルを管理サーバ５に送信した場合に、管理サーバ５が上記情報をもとにコンテンツの属性を特定し、特定した属性に基づいて鍵情報や広告データを選択する処理を行えば、上記実施形態と同様の効果が得られる。また、鍵管理情報７９に含まれる復号鍵を入手するために必要な情報は、予め、記憶部２８に記憶しておけばよく、コンテンツデータが暗号化されているか否かを、デコーダ２３によって判別するようにしてもよい。従って、光ディスク型記録媒体１０及びコンテンツ記憶部３０に記録されるコンテンツデータの構成は、そのコンテンツが何かを特定し得る情報（例えば、コンテンツのタイトルやＩＤ）を少なくとも一つ含んでいれば、任意の構成としてよい。
【００３８】
また、上記実施形態においては、光ディスク型記録媒体１０及びコンテンツ記憶部３０に記録されているコンテンツデータが、暗号化されたデータである場合に、これを復号するための復号鍵を管理サーバ５から再生装置２に送信するものとして説明したが、本発明はこれに限定されるものではなく、例えば、コンテンツデータ７の再生を禁止するコマンドがコンテンツデータ７に含まれており、このコマンドによる禁止状態を解除するための解除コマンドを、管理サーバ５から再生装置２に送信するようにしてもよい。
さらに、通信回線１１を介して、一台の管理サーバ５に複数の再生装置２を接続することも可能であり、この場合に、管理サーバ５において、各々の再生装置２の認証を行ってから図４の鍵情報配信処理を行うようにしてもよく、その他、コンテンツ再生管理システム１の細部構成等についても、任意に変更可能であることは勿論である。
【図面の簡単な説明】
【００３９】
【図１】コンテンツ再生管理システムの機能的構成を示すブロック図である。
【図２】コンテンツデータの構成を模式的に示す図である。
【図３】コンテンツ再生管理システムの動作を示すフローチャートである。
【図４】コンテンツ再生管理システムの動作を示すフローチャートである。
【符号の説明】
【００４０】
１…コンテンツ再生管理システム（再生管理システム）、２…再生装置、５…管理サーバ（管理装置）、７…コンテンツデータ、１０…光ディスク型記録媒体、１１…通信回線、２１…制御部（再生手段、解除用情報要求手段、取得手段、制御手段）、２２…読取部（読取手段）、２３…デコーダ、２４…信号処理回路、２５…音声信号出力部、２６…映像信号出力部、２７…入力部、２８…記憶部（記憶手段）、３０…コンテンツ記憶部、５１…制御部（送信手段、選択手段、期限設定手段）、６１…鍵情報記憶部、６５…広告データ記憶部、７４…コンテンツ属性情報。
【図１】
2010041273.tif 000003
【図２】
2010041273.tif 000004
【図３】
2010041273.tif 000005
【図４】
2010041273.tif 000006